(57)【要約】【課題】複数のスライス間の信号強度が均一化されたスライス画像を得る。【解決手段】ｉ番目のビューにおける各スライスに、隣り合うスライスが連続しないようにＲＦパルスを送信させる。この時、１つのスライスの両隣のスライスにおいて、励起パルスの位相が反転するようにＲＦパルスを送信させる。そして、各スライスから磁気共鳴信号を取得する。次に、（ｉ＋１）番目のビューにおける各スライスに、隣り合うスライスが連続しないようにＲＦパルスを送信させる。この時、各スライスにおいて、ｉ番目のビューに送信した励起パルスの位相と位相が反転している励起パルスを送信させる。そして、各スライスから磁気共鳴信号を取得する。そして、取得した磁気共鳴信号に基づいて、画像再構成を実施する。【選択図】図２
2009160342.tif 000002
【特許請求の範囲】
【請求項１】
被検体において、順次並ぶ第１のスライスと第２のスライスと第３のスライスと第４のスライスとを少なくとも含む複数のスライスについて実施するマルチスライス撮影において、前記複数のスライスそれぞれへＲＦパルスを送信し、前記複数のスライスにて発生する磁気共鳴信号を収集するスキャンを複数の繰り返し時間実施し、スライス画像を生成する磁気共鳴イメージング装置であって、
前記第１のスライスと前記第２のスライスと前記第３のスライスと前記第４のスライスのそれぞれにおいて、連続する前記繰り返し時間ごとに前記ＲＦパルスの位相が交互に反転すると共に、前記繰り返し時間内において、前記第１のスライスに送信する前記ＲＦパルスの位相と前記第３のスライスに送信する前記ＲＦパルスの位相とが反転し、前記繰り返し時間内において、前記第２のスライスに送信する前記ＲＦパルスの位相と前記第４のスライスに送信する前記ＲＦパルスの位相とが反転するように前記ＲＦパルスを送信する、
磁気共鳴イメージング装置。
【請求項２】
前記第１のスライスについて前記スキャンを実施し、次に前記第３のスライスについて前記スキャンを実施し、その後前記第２のスライスについて前記スキャンを実施し、次に前記第４のスライスについて前記スキャンを実施する、
請求項１に記載の磁気共鳴イメージング装置。
【請求項３】
前記複数のスライスにおいて、奇数番目のスライスについて前記スキャンを実施した後に、偶数番目のスライスについて前記スキャンを実施する、
請求項１に記載の磁気共鳴イメージング装置。
【請求項４】
スピンエコー法によって前記磁気共鳴信号を収集する、
請求項１から３のいずれか１項に記載の磁気共鳴イメージング装置。
【請求項５】
グラディエントエコー法によって前記磁気共鳴信号を収集する、
請求項１から３のいずれか１項に記載の磁気共鳴イメージング装置。
【請求項６】
前記第１のスライスと前記第２のスライスと前記第３のスライスと前記第４のスライスとが平行である、
請求項１から５のいずれか１項に記載の磁気共鳴イメージング装置。
【請求項７】
被検体において、順次並ぶ第１のスライスと第２のスライスと第３のスライスと第４のスライスとを少なくとも含む複数のスライスにおけるマルチスライス撮影において、前記複数のスライスへＲＦパルスを送信するＲＦパルスの送信方法であって、
前記第１のスライスと前記第２のスライスと前記第３のスライスと前記第４のスライスのそれぞれにおいて、連続する前記繰り返し時間ごとに前記ＲＦパルスの位相が交互に反転すると共に、前記繰り返し時間内において、前記第１のスライスに送信する前記ＲＦパルスの位相と前記第３のスライスに送信する前記ＲＦパルスの位相とが反転し、前記繰り返し時間内において、前記第２のスライスに送信する前記ＲＦパルスの位相と前記第４のスライスに送信する前記ＲＦパルスの位相とを反転するように前記ＲＦパルスを送信する、
ＲＦパルスの送信方法。
【請求項８】
前記第１のスライスについて前記スキャンを実施し、次に前記第３のスライスについて前記スキャンを実施し、その後前記第２のスライスについて前記スキャンを実施し、次に前記第４のスライスについて前記スキャンを実施する、
請求項７に記載のＲＦパルスの送信方法。
【請求項９】
前記複数のスライスにおいて、奇数番目のスライスについて前記スキャンを実施した後に、偶数番目のスライスについて前記スキャンを実施する、
請求項７に記載のＲＦパルスの送信方法。
【請求項１０】
前記ＲＦパルスを送信させるパルスシーケンスとして、スピンエコー法を用いる、
請求項７から９のいずれか１項に記載のＲＦパルスの送信方法。
【請求項１１】
前記ＲＦパルスを送信させるパルスシーケンスとして、グラディエントエコー法を用いる、
請求項７から９のいずれか１項に記載のＲＦパルスの送信方法。
【請求項１２】
前記第１のスライスと前記第２のスライスと前記第３のスライスと前記第４のスライスとが平行である、
請求項７から１１のいずれか１項に記載のＲＦパルスの送信方法。
【請求項１３】
被検体において、順次並ぶ第１のスライスと第２のスライスと第３のスライスと第４のスライスとを少なくとも含む複数のスライスについて実施するマルチスライス撮影において、前記複数のスライスそれぞれへＲＦパルスを送信し、前記複数のスライスにて発生する磁気共鳴信号を収集するスキャンを複数の繰り返し時間実施し、スライス画像を生成することをコンピュータに実行させるためのプログラムであって、
前記第１のスライスと前記第２のスライスと前記第３のスライスと前記第４のスライスのそれぞれにおいて、連続する繰り返し時間ごとに前記ＲＦパルスの位相が交互に反転すると共に、前記繰り返し時間内において、前記第１のスライスに送信する前記ＲＦパルスの位相と前記第３のスライスに送信する前記ＲＦパルスの位相とが反転し、前記繰り返し時間内において、前記第２のスライスに送信する前記ＲＦパルスの位相と前記第４のスライスに送信する前記ＲＦパルスの位相とが反転するように前記ＲＦパルスを送信する手順を、
前記コンピュータに実行させるためのプログラム。
【請求項１４】
前記第１のスライスについて前記スキャンを実施し、次に前記第３のスライスについて前記スキャンを実施し、その後前記第２のスライスについて前記スキャンを実施し、次に前記第４のスライスについて前記スキャンを実施する手順を前記コンピュータに実行させるための、
請求項１３に記載のプログラム。
【請求項１５】
前記複数のスライスにおいて、奇数番目のスライスについて前記スキャンを実施した後に、偶数番目のスライスについて前記スキャンを実施する手順を前記コンピュータに実行させるための、
請求項１３に記載のプログラム。
【請求項１６】
前記ＲＦパルスを送信させるパルスシーケンスとして、スピンエコー法を用いる手順を前記コンピュータに実行させるための、
請求項１３から１５のいずれか１項に記載のプログラム。
【請求項１７】
前記ＲＦパルスを送信させるパルスシーケンスとして、グラディエントエコー法を用いる手順を前記コンピュータに実行させるための、
請求項１３から１５のいずれか１項に記載のプログラム。
【発明の詳細な説明】
【技術分野】
【０００１】
本発明は、磁気共鳴イメージング装置（ＭＲＩ：Ｍａｇｎｅｔｉｃ  Ｒｅｓｏｎａｎｃｅ  Ｉｍａｇｉｎｇ）、ＲＦパルスの送信方法およびプログラムに関するものである。
【背景技術】
【０００２】
磁気共鳴イメージング装置は、核磁気共鳴現象を利用して磁気共鳴信号を発生させ、被検体の断層画像を撮影する装置である。
【０００３】
従来、磁気共鳴イメージング装置における画像データ収集方法としては、マルチスライス撮影である、多数の連続したスライス面を撮影するときの、スライス面の励起順を規定する方法が知られている。具体的には、スライス面に対する励起を一定タイミングで繰り返し実行する中で、励起毎にはスライス面が隣接しないように選択することを特徴としている。これにより、高速で、且つ、隣り合うスライス面の核磁気共鳴信号同士の干渉を抑制し、画像コントラストの低下などを防止しようとするものである。（例えば、特許文献１参照）。
【０００４】
【特許文献１】特開昭６３−９４３２号公報（例えば、実施例８行目から１３行目参照。）
【発明の開示】
【発明が解決しようとする課題】
【０００５】
しかしながら、上述した従来方法のように、スライス面を励起毎に隣接しないように選択するとしても、ＲＦパルスのプロファイルが矩形でなくサイドローブが生じる場合、あるスライス面は、重複する隣接スライス面におけるサイドローブの励起の影響を受け、各スライス間で信号強度が不均一となる。
【０００６】
したがって、本発明は、複数のスライス間の信号強度が均一化されたスライス画像が得られる磁気イメージング装置、ＲＦパルスの送信方法およびプログラムを提供する。
【課題を解決するための手段】
【０００７】
本発明は、被検体において、順次並ぶ第１のスライスと第２のスライスと第３のスライスと第４のスライスとを少なくとも含む複数のスライスについて実施するマルチスライス撮影において、前記複数のスライスそれぞれへＲＦパルスを送信し、前記複数のスライスにて発生する磁気共鳴信号を収集するスキャンを複数の繰り返し時間実施し、スライス画像を生成する磁気共鳴イメージング装置であって、前記第１のスライスと前記第２のスライスと前記第３のスライスと前記第４のスライスのそれぞれにおいて、連続する前記繰り返し時間ごとに前記ＲＦパルスの位相が交互に反転すると共に、前記繰り返し時間内において、前記第１のスライスに送信する前記ＲＦパルスの位相と前記第３のスライスに送信する前記ＲＦパルスの位相とが反転し、前記繰り返し時間内において、前記第２のスライスに送信する前記ＲＦパルスの位相と前記第４のスライスに送信する前記ＲＦパルスの位相とが反転するように前記ＲＦパルスを送信する。
【０００８】
好適には、前記第１のスライスについて前記スキャンを実施し、次に前記第３のスライスについて前記スキャンを実施し、その後前記第２のスライスについて前記スキャンを実施し、次に前記第４のスライスについて前記スキャンを実施する。
【０００９】
好適には、前記複数のスライスにおいて、奇数番目のスライスについて前記スキャンを実施した後に、偶数番目のスライスについて前記スキャンを実施する。
【００１０】
好適には、スピンエコー法によって前記磁気共鳴信号を収集する。
【００１１】
好適には、グラディエントエコー法によって前記磁気共鳴信号を収集する。
【００１２】
好適には、前記第１のスライスと前記第２のスライスと前記第３のスライスと前記第４のスライスとが平行である。
【００１３】
本発明は、被検体において、順次並ぶ第１のスライスと第２のスライスと第３のスライスと第４のスライスとを少なくとも含む複数のスライスにおけるマルチスライス撮影において、前記複数のスライスへＲＦパルスを送信するＲＦパルスの送信方法であって、前記第１のスライスと前記第２のスライスと前記第３のスライスと前記第４のスライスのそれぞれにおいて、連続する前記繰り返し時間ごとに前記ＲＦパルスの位相が交互に反転すると共に、前記繰り返し時間内において、前記第１のスライスに送信する前記ＲＦパルスの位相と前記第３のスライスに送信する前記ＲＦパルスの位相とが反転し、前記繰り返し時間内において、前記第２のスライスに送信する前記ＲＦパルスの位相と前記第４のスライスに送信する前記ＲＦパルスの位相とを反転するように前記ＲＦパルスを送信する。
【００１４】
好適には、前記第１のスライスについて前記スキャンを実施し、次に前記第３のスライスについて前記スキャンを実施し、その後前記第２のスライスについて前記スキャンを実施し、次に前記第４のスライスについて前記スキャンを実施する。
【００１５】
好適には、前記複数のスライスにおいて、奇数番目のスライスについて前記スキャンを実施した後に、偶数番目のスライスについて前記スキャンを実施する。
【００１６】
好適には、前記ＲＦパルスを送信させるパルスシーケンスとして、スピンエコー法を用いる。
【００１７】
好適には、前記ＲＦパルスを送信させるパルスシーケンスとして、グラディエントエコー法を用いる。
【００１８】
好適には、前記第１のスライスと前記第２のスライスと前記第３のスライスと前記第４のスライスとが平行である。
【００１９】
本発明は、被検体において、順次並ぶ第１のスライスと第２のスライスと第３のスライスと第４のスライスとを少なくとも含む複数のスライスについて実施するマルチスライス撮影において、前記複数のスライスそれぞれへＲＦパルスを送信し、前記複数のスライスにて発生する磁気共鳴信号を収集するスキャンを複数の繰り返し時間実施し、スライス画像を生成することをコンピュータに実行させるためのプログラムであって、前記第１のスライスと前記第２のスライスと前記第３のスライスと前記第４のスライスのそれぞれにおいて、連続する繰り返し時間ごとに前記ＲＦパルスの位相が交互に反転すると共に、前記繰り返し時間内において、前記第１のスライスに送信する前記ＲＦパルスの位相と前記第３のスライスに送信する前記ＲＦパルスの位相とが反転し、前記繰り返し時間内において、前記第２のスライスに送信する前記ＲＦパルスの位相と前記第４のスライスに送信する前記ＲＦパルスの位相とが反転するように前記ＲＦパルスを送信する手順を、前記コンピュータに実行させる。
【００２０】
好適には、前記第１のスライスについて前記スキャンを実施し、次に前記第３のスライスについて前記スキャンを実施し、その後前記第２のスライスについて前記スキャンを実施し、次に前記第４のスライスについて前記スキャンを実施する手順を前記コンピュータに実行させる。
【００２１】
好適には、前記複数のスライスにおいて、奇数番目のスライスについて前記スキャンを実施した後に、偶数番目のスライスについて前記スキャンを実施する手順を前記コンピュータに実行させる。
【００２２】
好適には、前記ＲＦパルスを送信させるパルスシーケンスとして、スピンエコー法を用いる手順を前記コンピュータに実行させる。
【００２３】
好適には、前記ＲＦパルスを送信させるパルスシーケンスとして、グラディエントエコー法を用いる手順を前記コンピュータに実行させる。
【発明の効果】
【００２４】
本発明によれば、複数のスライス間の信号強度が均一化されたスライス画像が得られる磁気イメージング装置、ＲＦパルスの送信方法およびプログラムを提供することができる。
【発明を実施するための最良の形態】
【００２５】
以下より、本発明に係る一実施形態について図面を参照して説明する。
【００２６】
＜第１の実施形態＞
（装置構成）
図１は、本発明に係る一実施形態における磁気共鳴イメージング装置の構成を示す構成図である。本装置は、本発明の実施形態の一例である。
【００２７】
図１に示すように、磁気共鳴イメージング装置１は、スキャン（ｓｃａｎ）部２と、操作コンソール（ｃｏｎｓｏｌｅ）部３とを有している。ここで、スキャン部２は、静磁場マグネット（ｍａｇｎｅｔ）部１２と、勾配コイル部１３と、ＲＦコイル部１４と、クレードル（ｃｒａｄｌｅ）１５とを有する。そして、操作コンソール部３は、ＲＦ駆動部２２と、勾配駆動部２３と、データ収集部２４と、制御部３０と、記憶部３１と、操作部３２と、データ処理部３３と、表示部３４とを有する。
【００２８】
スキャン部２について説明する。
【００２９】
スキャン部２は、図１に示すように、被検体４０における撮影スライス（ｓｌｉｃｅ）領域が収容される静磁場空間１１を含んでいる。そして、スキャン部２は、操作コンソール部３からの制御信号に基づいて、その静磁場が形成される静磁場空間１１に収容した被検体４０の撮影領域にＲＦパルスを送信し、その撮影領域から磁気共鳴信号を取得するスキャンを実施する。
【００３０】
スキャン部２の各構成要素について、順次、説明する。
【００３１】
静磁場マグネット部１２は、被検体４０が収容される静磁場空間１１に静磁場を形成するために設けられている。静磁場マグネット部１２は、水平磁場型であって、被検体４０が収容される静磁場空間１１において載置される被検体４０の体軸方向（ｚ方向）に沿うように、超伝導磁石（図示なし）が静磁場を形成する。なお、静磁場マグネット部１２は、水平磁場型の他に、垂直磁場型であってもよく、永久磁石により構成されていてもよい。
【００３２】
勾配コイル部１３は、ＲＦコイル部１４が受信する磁気共鳴信号に３次元の位置情報を持たせるために、静磁場空間１１に勾配磁場を形成する。勾配コイル部１３は、スライス選択勾配磁場、読み取り勾配磁場、位相エンコード勾配磁場の３種類の勾配磁場を形成するために勾配コイルを３系統有する。
【００３３】
ＲＦコイル部１４は、たとえば、被検体４０を囲むように配置される。ＲＦコイル部１４は、静磁場マグネット部１２によって静磁場が形成される静磁場空間１１内において、制御部３０からの制御信号に基づいて、電磁波であるＲＦパルスを被検体４０に送信して高周波磁場を形成する。これにより、被検体４０の撮影スライスにおけるプロトンのスピン（ｓｐｉｎ）を励起する。そして、ＲＦコイル部１４は、その励起された被検体４０の撮影スライスにおけるプロトンのスピンが元の磁化ベクトル（ｖｅｃｔｏｒ）へ戻る際に生ずる電磁波を、磁気共鳴信号として受信する。ＲＦコイル部１４は、同一のＲＦコイルによりＲＦパルスの送受信を行ってもよい。
【００３４】
クレードル１５は、被検体４０を載置するテーブル（ｔａｂｌｅ）を有する。クレードル１５は、制御部３０からの制御信号に基づいて、静磁場空間１１の内部と外部との間でテーブルに載置された被検体４０を移動する。
【００３５】
操作コンソール部３について説明する。
【００３６】
操作コンソール部３は、スキャン部２が被検体４０についてスキャンを実施するように制御し、そのスキャン部２が実施したスキャンによって得られた磁気共鳴信号に基づいて、被検体４０の画像を生成すると共に、その生成した画像を表示する。
【００３７】
操作コンソール部３を構成する各部について、順次、説明する。
【００３８】
ＲＦ駆動部２２は、ＲＦコイル部１４を駆動させて静磁場空間１１内に高周波磁場を形成するために、ゲート（ｇａｔｅ）変調器（図示なし）とＲＦ電力増幅器（図示なし）とＲＦ発振器（図示なし）とを有する。ＲＦ駆動部２２は、制御部３０からの制御信号に基づいて、ＲＦ発振器からのＲＦ信号を、ゲート変調器を用いて所定のタイミング（ｔｉｍｉｎｇ）および所定の包絡線の信号に変調する。そして、ゲート変調器により変調されたＲＦ信号を、ＲＦ電力増幅器により増幅した後、ＲＦコイル部１４に出力する。
【００３９】
勾配駆動部２３は、制御部３０の制御信号に基づいて勾配コイル部１３を駆動させて、静磁場空間１１内に勾配磁場を発生させる。勾配駆動部２３は、勾配コイル部１３の３系統の勾配コイルに対応して３系統の駆動回路（図示なし）を有する。
【００４０】
データ収集部２４は、ＲＦコイル部１４が受信する磁気共鳴信号を収集するために、位相検波器（図示なし）とアナログ／デジタル（ａｎａｌｏｇ／ｄｉｇｉｔａｌ）変換器（図示なし）とを有する。データ（ｄａｔａ）収集部２４は、ＲＦコイル部１４からの磁気共鳴信号を、ＲＦ駆動部２２のＲＦ発振器の出力を参照信号として、位相検波器によって位相検波し、アナログ／デジタル変換器に出力する。そして、位相検波器により位相検波されたアナログ信号である磁気共鳴信号を、アナログ／デジタル変換器によってデジタル信号に変換して、データ処理部３３に出力する。
【００４１】
制御部３０は、コンピュータ（ｃｏｍｐｕｔｅｒ）と、そのコンピュータを用いて所定のスキャンに対応する動作を各部に実行させるプログラム（ｐｒｏｇｒａｍ）を記録する記録媒体とを有する。記録媒体としては、例えば、ＲＯＭ、フレキシブルディスク、ハードディスク、光ディスク、光磁気ディスク、ＣＤ−ＲＯＭ、不揮発性のメモリーカードを用いることができる。そして、制御部３０は、後述する操作部３２に接続されており、操作部３２に入力された操作信号を処理し、クレードル１５とＲＦ駆動部２２と勾配駆動部２３とデータ収集部２４との各部に、制御信号を出力し制御を行う。また、制御部３０は、所望の画像を得るために、操作部３２からの操作信号に基づいてデータ処理部３３、表示部３４を制御する。
【００４２】
本実施形態において、制御部３０は、例えば、ＲＦコイル部１４から複数のスライスにおける各スライスにおいて、複数の繰り返し時間、すなわち複数のビュー間でＲＦパルスの位相を交互に反転させてＲＦパルスを送信させるようにＲＦ駆動部２２、勾配駆動部２３を制御する。
また、例えば、複数のスライスが、１番目のスライス、２番目のスライス、３番目のスライス、４番目のスライスの順に並んでいる場合、１番目のスライスに送信させるＲＦパルスの位相と、３番目のスライスに送信させるＲＦパルスの位相とを反転させるように、両スライスにＲＦパルスを送信させるようにＲＦ駆動部２２、勾配駆動部２３を制御する。また、２番目のスライスに送信させるＲＦパルスの位相と、４番目のスライスに送信させるＲＦパルスの位相とを反転させるように、両スライスにＲＦパルスを送信させるようにＲＦ駆動部２２、勾配駆動部２３を制御する。
【００４３】
記憶部３１は、コンピュータとコンピュータに所定のデータ処理を実行させるプログラムを記録する記録媒体とを有する。そして、記憶部３１は、データ収集部２４に収集された被検体４０あるいはファントムのスペクトル生成前の磁気共鳴信号、後述するデータ処理部３３でスペクトル生成処理されたスペクトルデータ等を記憶する。
【００４４】
操作部３２は、キーボード（ｋｅｙｂｏａｒｄ）やマウス（ｍｏｕｔｈ）などの操作デバイス（ｄｅｖｉｃｅ）により構成されている。操作部３２は、オペレータ（ｏｐｅｒａｔｏｒ）によって撮像プロトコル（ｐｒｏｔｏｃｏｌ）などのデータが入力され、イメージングシーケンス（ｉｍａｇｉｎｇ  ｓｅｑｕｅｎｃｅ）を実施する領域などの設定がされる。その撮像プロトコル、設定領域などに関するデータを制御部３０に出力する。
【００４５】
データ処理部３３は、コンピュータと、そのコンピュータを用いて所定のデータ処理を実行するプログラムを記録する記録媒体とを有する。データ処理部３３は、制御部３０に接続されており、制御部３０からの制御信号に基づいて、データ処理を実施する。また、データ処理部３３は、データ収集部２４に接続されており、データ収集部２４から出力される磁気共鳴信号に対して各種の画像処理をして、スペクトルデータを生成する。
【００４６】
表示部３４は、ディスプレイ（ｄｉｓｐｌａｙ）などの表示デバイスにより構成されており、制御部３０からの制御信号に基づいて、表示画面に画像を表示する。表示部３４は、例えば、オペレータによって操作部３２に操作データが入力される入力項目についての画像を表示画面に表示する。また、表示部３４は、データ処理部３３が生成する被検体４０のスライス画像を表示する。
【００４７】
（動作）
以下より、本実施形態の磁気共鳴イメージング装置１を用いて、被検体４０を撮影する際の動作について説明する。
【００４８】
図２は、本発明にかかる一実施形態において、マルチスライス撮影により被検体を撮影する際の動作を示すフロー図である。
図３は、本実施形態のマルチスライス撮影におけるパルスシーケンスを示す図である。
ここで、本実施形態におけるＲＦパルスを送信するスライスの順番は、１番目のスライス、３番目のスライス、・・・・・・、１３番目のスライス、２番目のスライス、４番目のスライス、・・・・・・、１２番目のスライスとなる。また、ＲＦ１１は１番目のスライスに送信する励起パルスであり、ＲＦ１２は１番目のスライスに送信するリフォーカスパルス（ｒｅｆｏｃｕｓ  ｐｕｌｓｅ）であり、ＲＦ１２１は１２番目のスライスに送信する励起パルスであり、ＲＦ１２２は１２番目のスライスに送信するリフォーカスパルスである。また、合わせて各スライスにおけるｉ番目のビューと（ｉ＋１）番目のビューでの励起パルスの位相を示す。また、マルチスライス撮影とは、１繰り返し時間（ＴＲ）内に複数のスライスの撮影を行うことである。本実施形態においては、図３に示すパルスシーケンスにより、以下に示すように、１繰り返し時間内で１３スライスの撮影を行う。そして、それぞれのスライスのｋ空間が埋まるまで、撮影を繰り返すことにより、１３枚のスライス画像を得ることができる。
【００４９】
まず、図２に示すように、複数のスライスにＲＦパルスを送信する（ＳＴ１０）。
【００５０】
ここでは、ｉ番目のビュー（ｉ＝1，・・・・，ｎ  ｎ：任意の整数）の磁気共鳴信号を取得するためにＲＦコイル部１４が、被検体４０における選択された複数のスライスそれぞれに、例えばスピンエコー法により、ＲＦパルスを送信する。本実施形態においてＲＦパルスは、励起パルスとリフォーカスパルスとからなる。例えば励起パルスのフリップアングルは９０度であり、リフォーカスパルスのフリップアングルは１８０度である。本実施形態においては、図３に示すように、１繰り返し時間（ＴＲ）内に１３枚のスライスにＲＦパルスを送信し、それぞれのスライスからエコー信号を取得する。
このとき選択された複数のスライスは、相互に平行であることが好ましい。この１つのビューが本発明の１繰り返し時間（ＴＲ）となる。
このｉ番目のビューにおける、各スライスにＲＦパルスを送信する順序は、隣り合うスライスが連続しないように、ＲＦパルスを送信する。例えば、奇数番目のスライスに先にＲＦパルスを送信し、次に偶数番目のスライスにＲＦパルスを送信する。また、この時、１つのスライスの両隣の２つのスライスに送信する励起パルスの位相が反転するようにＲＦパルスを送信する。
【００５１】
表１に本実施形態におけるｉ番目のビューにおける各スライスに送信するＲＦパルスの順序、および励起パルスとリフォーカスパルスの位相を示す（ｉ＝1，・・・・，ｎ  ｎ：任意の整数）。
【００５２】
【表１】
2009160342.tif 000003
具体的には、例えば、複数のスライスが１３枚のスライスである場合、表１に示す順序に従い、ＲＦコイル部１４が、図３に示すようなパルスシーケンスにより各スライスに励起パルスとリフォーカスパルスからなるＲＦパルスを送信する。このとき、ＲＦパルスの送信順に励起パルスの位相を０度、１８０度、０度・・・となるように交互に反転させる。リフォーカスパルスの位相は、任意の位相をとることができるが、例えば、励起パルスの位相と９０度ずれた位相をとる。すなわち、例えば、全てのスライスにおいてリフォーカスパルスの位相は９０度となる。
ＲＦパルスが送信される順序は、例えば、１番目のスライスは１番目にＲＦパルスが送信され、２番目のスライスは８番目にＲＦパルスが送信され、３番目のスライスは２番目にＲＦパルスが送信され、・・・１３番目のスライスは７番目にＲＦパルスが送信される。
また送信される励起パルスの位相は、例えば、表１に示す通りである。１番目のスライスに送信される励起パルスの位相は０度、２番目のスライスに送信される励起パルスの位相は１８０度、３番目のスライスに送信される励起パルスの位相は１８０度、４番目のスライスに送信される励起パルスの位相は０度、・・・１３番目のスライスに送信されるＲＦパルスの位相は０度である。これをＲＦパルスの送信順で記載すると、励起パルスの位相は、０度、１８０度、０度、１８０度・・・となる。また、このときの繰り返し時間ＴＲは、例えば、２ｓである。
【００５３】
この場合、例えば、１番目のスライスと５番目のスライスと９番目のスライスと１３番目のスライスが、本発明の第１のスライスに相当し、２番目のスライスと６番目のスライスと１０番目のスライスとが、本発明の第２のスライスに相当し、３番目のスライスと７番目のスライスと１１番目のスライスとが、本発明の第３のスライスに相当し、４番目のスライスと８番目のスライスと１２番目のスライスとが、本発明の第４のスライスに相当する。
【００５４】
次に、図２に示すように、ｉ番目のビューの磁気共鳴信号を取得する（ＳＴ２０）。
【００５５】
ここでは、ステップＳＴ１０においてＲＦパルスを送信した複数のスライスから、ＲＦコイル部１４が、ｉ番目のビューの磁気共鳴信号をそれぞれ取得する。
【００５６】
次に、図２に示すように、複数のスライスにＲＦパルスを送信する（ＳＴ３０）。
【００５７】
ここでは、被検体４０における選択された複数のスライスに（ｉ＋１）番目のビューの磁気共鳴信号を取得するために、ＲＦコイル部１４が被検体４０における選択された複数のスライスに、例えばスピンエコー法により、ＲＦパルスを送信する。本実施形態においては、図３に示すように、１繰り返し時間（ＴＲ）内に１３枚のスライスにＲＦパルスを送信し、それぞれのスライスからエコー信号を取得する。
このとき選択された複数のスライスは、相互に平行であることが好ましい。この１つのビューが本発明の１繰り返し時間となる。
この（ｉ＋１）番目のビューにおける、各スライスにＲＦパルスを送信する順序は、隣り合うスライスが連続しないように、ＲＦパルスを送信する。例えば、奇数番目のスライスに先にＲＦパルスを送信し、次に偶数番目のスライスにＲＦパルスを送信する。また、この時、１つのスライスに隣り合う２つのスライスに、送信する励起パルスの位相が反転するようにＲＦパルスを送信する。また、この時、（ｉ＋１）番目のビューにおける各スライスに、ｉ番目のビューにおける各スライスに送信した励起パルスの位相と反転した位相をもつ励起パルスを送信する。
【００５８】
表２に本実施形態における（ｉ＋１）番目のビューにおける各スライスに送信するＲＦパルスの順序、および励起パルスとリフォーカスパルス位相を示す（ｉ＝1，・・・・，ｎ  ｎ：任意の整数）。
【００５９】
【表２】
2009160342.tif 000004
具体的には、例えば、表２に示す順序に従い、ＲＦコイル部１４が、図３に示すようなパルスシーケンスにより各スライスに励起パルスとリフォーカスパルスからなるＲＦパルスを送信する。このとき、ＲＦパルスの送信順に励起パルスの位相を１８０度、０度、１８０度・・・となるように交互に反転させる。リフォーカスパルスの位相は、任意の位相をとることができるが、例えば、励起パルスの位相と９０度ずれた位相をとる。すなわち、例えば、全てのスライスにおいてリフォーカスパルスの位相は９０度となる。
ＲＦパルスが送信される順序は、例えば、１番目のスライスは１番目にＲＦパルスが送信され、２番目のスライスは８番目にＲＦパルスが送信され、３番目のスライスは２番目にＲＦパルスが送信され、・・・１３番目のスライスは７番目にＲＦパルスが送信される。
またこの時に送信される励起パルスの位相は、例えば、表２に示す通りである。１番目のスライスに送信される励起パルスの位相は１８０度、２番目のスライスに送信される励起パルスの位相は０度、３番目のスライスに送信される励起パルスの位相は０度、４番目のスライスに送信される励起パルスの位相は１８０度、・・・１３番目のスライスに送信される励起パルスの位相は１８０度である。これをＲＦパルスの送信順で記載すると、励起パルスの位相は、０度、１８０度、０度、１８０度・・・となる。また、このときの繰り返し時間ＴＲは、例えば、２ｓである。
【００６０】
次に、図２に示すように、（ｉ＋１）番目のビューの磁気共鳴信号を取得する（ＳＴ４０）。
【００６１】
ここでは、ステップＳＴ３０においてＲＦパルスを送信した複数のスライスから、ＲＦコイル部１４が、（ｉ＋１）番目の磁気共鳴信号をそれぞれ取得する。
Ｔ４０）。
【００６２】
次に、図２に示すように、ステップＳＴ４０において取得した磁気共鳴信号が最後のビューの磁気共鳴信号であるかの判断を行う（ＳＴ５０）。
【００６３】
ここでは、ステップＳＴ４０において取得された磁気共鳴信号が最後のビューから得られた磁気共鳴信号であるかを、制御部３０が判断する。そして、取得された磁気共鳴信号が最後のビューの磁気共鳴信号でない場合（Ｎｏ）には、上記の磁気共鳴信号の取得を継続するように制御部３０が各部を制御する。
【００６４】
次に、図２に示すように、画像再構成を実施する（ＳＴ６０）。
【００６５】
ここでは、ステップＳＴ２０、４０において取得した磁気共鳴信号に対してデータ処理部３３が画像再構成処理を実施し、画像を再構成し、表示部３４に出力する。
【００６６】
以上のように、本発明の一実施形態は、ｉ番目のビューにおける各スライスに、隣り合うスライスが連続しないよう、例えば、奇数番目のスライスに先にＲＦパルスを送信し、次に偶数番目のスライスにＲＦパルスを送信させる。この時、１つのスライスの両隣のスライスにおいて、励起パルスの位相が反転するようにＲＦパルスを送信させる。そして、各スライスからｉ番目のビューにおける磁気共鳴信号を取得する。そして、（ｉ＋１）番目のビューにおける各スライスに、隣り合うスライスが連続しないようにＲＦパルスを送信させる。この時、１つのスライスの両隣のスライスにおいて、励起パルスの位相が反転するようにＲＦパルスを送信させる。また、ｉ番目のビューにおける各スライスに送信された励起パルスの位相と（ｉ＋１）番目のビューにおける各スライスに送信される励起パルスの位相が反転するようにＲＦパルスを送信させる。そして、各スライスから（ｉ＋１）番目のビューにおける磁気共鳴信号を取得する。そして、取得した磁気共鳴信号に基づいて、画像再構成を実施する。
【００６７】
このように、１繰り返し時間すなわち１つのビューにおいて、隣り合うスライスに連続してＲＦパルスを送信しないように、例えば、奇数番目のスライスにＲＦパルスを送信し、次に偶数番目のスライスにＲＦパルスを送信する。隣り合うスライスの干渉を減少させることができる。そして、１つのスライスに送信される励起パルスと隣り合う２つのスライスに送信される励起パルスの位相が反転するようにＲＦパルスを送信し、前記ビューと連続するビューにおいて、前記ビューの各スライスに送信された励起パルスの位相と位相が反転している励起パルスを送信することにより、各スライスから取得される磁気共鳴信号の信号強度が均一化される。したがって、画像再構成されたスライス画像は、信号強度差が少ない均一な画面となる。
【００６８】
以下に、上記の実施形態において、各スライスから取得される磁気共鳴信号の信号強度が均一化となる理由について説明する。
【００６９】
図４は、ＲＦパルスのプロファイルを示す模式図である。図４（ａ）は理想的なＲＦパルスのプロファイルを示し、図４（ｂ）は本実施形態におけるＲＦパルスのプロファイルを示す。ここで、Ｌはスライス間距離であり、ｔはスライスの厚さである。
図４（ａ）に示すように、理想的には隣り合うスライスに送信させるＲＦパルスが重なり合わないようにＲＦパルスのプロファイルは矩形状であることが望ましい。しかし、実際にはＲＦパルスを送信する時間が有限である等の理由から、所望の領域外のスピンも励起され、図４（ｂ）に示すように、スライスに送信させるＲＦパルスのプロファイルにサイドローブ５０が生ずることとなる。ここで、スライスの厚さｔは５ｍｍであり、各スライス間の距離Ｌは７ｍｍである。このスライス間の距離Ｌと前述した繰り返し時間ＴＲが、隣り合うスライスに送信されたＲＦパルスの干渉割合に影響する。スライス間距離Ｌが長ければ、また繰り返し時間ＴＲが長ければ、ＲＦパルスの干渉の影響は減少する。
【００７０】
例えば、２番目のスライスは、ＲＦパルスのプロファイルにサイドローブ５０が生じているため、２番目のスライスに送信されたＲＦパルスだけでなく、１番目のスライスおよび３番目のスライスに送信されたＲＦパルスの影響も受けることとなる。
【００７１】
（シミュレーションの結果）
ここで、具体的に、スライス枚数が１３枚の場合の各スライスの信号強度についてのシミュレーション結果を検討する。
【００７２】
表３は、従来における各スライスに送信するＲＦパルスの送信の順序および送信する励起パルスの位相を示す。
【００７３】
【表３】
2009160342.tif 000005
表３に示すように、１ビュー目において、１番目のスライスは１番目にＲＦパルスが送信され、２番目のスライスは８番目にＲＦパルスが送信され、３番目のスライスは２番目にＲＦパルスが送信され、・・・１３番目のスライスは７番目にＲＦパルスが送信される。
またこの時、各スライスに送信される励起パルスの位相は、１番目のスライスが０度、２番目のスライスが１８０度、３番目のスライスが０度、４番目のスライスが１８０度、・・・１３番目のスライスが０度である。
また、連続するビュー毎に各スライスにおける励起パルスの位相が交互に反転されるため、２ビュー目の各スライスに送信される励起パルスの位相は、１ビュー目の励起パルスの位相と反転した位相となる。２ビュー目において、１番目のスライスに送信される励起パルスの位相は１８０度、２番目のスライスは０度となる。これが、ｎビュー目まで続くこととなる。
【００７４】
上記のようにＲＦパルスが送信された各スライスから得られる磁気共鳴信号の信号強度について、図４（ｂ）における２番目のスライス、３番目のスライスおよび４番目のスライスを、１ビューと２ビューの２つのビューにて検討する。
【００７５】
まず２番目のスライスについて検討する。
２番目のスライスの領域Ａにおけるサイドローブは、１ビュー目の１番目のスライスに送信されたＲＦパルス（励起パルス位相：０度）と、１ビュー目の２番目のスライスに送信されたＲＦパルスと（励起パルス位相：１８０度）、２ビュー目の１番目のスライスに送信されたＲＦパルスと（励起パルス位相：１８０度）、２ビュー目の２番目のスライスに送信されたＲＦパルス（励起パルス位相：０度）の影響を受ける。
また、２番目のスライスにおける領域Ｂのサイドローブは、１ビュー目の３番目のスライスに送信されたＲＦパルス（励起パルス位相：０度）と、１ビュー目の２番目のスライスに送信されたＲＦパルスと（励起パルス位相：１８０度）、２ビュー目の３番目のスライスに送信されたＲＦパルスと（励起パルス位相：１８０度）、２ビュー目の２番目のスライスに送信されたＲＦパルス（励起パルス位相：０度）の影響を受ける。
【００７６】
次に３番目のスライスについて検討する。
３番目のスライスにおける領域Ｂのサイドローブは、１ビュー目の３番目のスライスに送信されたＲＦパルス（励起パルス位相：０度）と、１ビュー目の２番目のスライスに送信されたＲＦパルスと（励起パルス位相：１８０度）、２ビュー目の３番目のスライスに送信されたＲＦパルスと（励起パルス位相：１８０度）の影響を受ける。ここで、３番目のスライスは、２ビュー目の２番目のスライスの影響は受けないのは、３番目のスライスにＲＦパルスを送信した後に２番目のＲＦパルスを送信するため、２ビュー目の２番目のスライスにＲＦパルスが送信される前に、２ビュー目の３番目のスライスにＲＦパルスが送信され、３番目のスライスにＲＦパルスが送信された時に磁気共鳴信号を取得するからである。
また、３番目のスライスにおける領域Ｃのサイドローブは、１ビュー目の３番目のスライスに送信されたＲＦパルス（励起パルス位相：０度）と、１ビュー目の４番目のスライスに送信されたＲＦパルスと（励起パルス位相：１８０度）、２ビュー目の３番目のスライスに送信されたＲＦパルスと（励起パルス位相：１８０度）の影響を受ける。
【００７７】
次に、４番目のスライスについて検討する。
４番目のスライスの領域Ｃにおけるサイドローブは、１ビュー目の３番目のスライスに送信されたＲＦパルス（励起パルス位相：０度）と、１ビュー目の４番目のスライスに送信されたＲＦパルスと（励起パルス位相：１８０度）、２ビュー目の３番目のスライスに送信されたＲＦパルスと（励起パルス位相：１８０度）、２ビュー目の２番目のスライスに送信されたＲＦパルス（励起パルス位相：０度）の影響を受ける。
また、４番目のスライスにおける領域Ｄのサイドローブは、１ビュー目の５番目のスライスに送信されたＲＦパルス（励起パルス位相：０度）と、１ビュー目の４番目のスライスに送信されたＲＦパルスと（励起パルス位相：１８０度）、２ビュー目の５番目のスライスに送信されたＲＦパルスと（励起パルス位相：１８０度）、２ビュー目の４番目のスライスに送信されたＲＦパルス（励起パルス位相：０度）の影響を受ける。
【００７８】
上記の結果を表４に示す。表４（ａ）は、２番目のスライスの結果を示し、表４（ｂ）は、３番目のスライスの結果を示し、表４（ｃ）は、４番目のスライスの結果を示す。ここで、励起パルスの位相が０度と１８０度のように反転しているため、符号は、励起パルスの位相が０度であるＲＦパルスが送信された場合を＋（プラス）、励起パルスの位相が１８０度であるＲＦパルスが送信された場合を−（マイナス）とした。
【００７９】
【表４】
2009160342.tif 000006
【００８０】
表４に示すように、２番目のスライスに送信されたＲＦパルスのサイドローブにおける符号は、領域Ａと領域Ｂにおける符号の和となり、０となる。これは、２番目のスライスに送信されたＲＦパルスのサイドローブは、位相が０度である励起パルスと位相が１８０度である励起パルスの影響がキャンセルされたことを示す。また、３番目のスライスに送信されたＲＦパルスのサイドローブにおける符号は、領域Ｂと領域Ｃにおける符号の和となり、−２となる。これは、３番目のスライスに送信されたＲＦパルスのサイドローブは、位相が１８０度である励起パルスの影響を受けることを示す。また、４番目のスライスに送信されたＲＦパルスのサイドローブにおける符号は、領域Ｃと領域Ｄにおける符号の和となり、０となる。これは、４番目のスライスに送信されたＲＦパルスのサイドローブは、位相が０度である励起パルスと位相が１８０度である励起パルスとの影響がキャンセルされたことを示す。そして、各スライスに送信されたＲＦパルスのサイドローブにおける符号の和は、各スライスにおける信号強度と関連している。
【００８１】
以上のように、従来のＲＦパルスの送信方法によると、２番目のスライス、３番目のスライスおよび４番目のスライスに送信されたＲＦパルスのサイドローブにおける符号の和が０、−２、０となり、隣り合うスライスにおいて信号強度が異なることとなる。
【００８２】
表５は、本発明における各スライスに送信するＲＦパルスの送信の順序および送信する励起パルスの位相を示す。
【００８３】
【表５】
2009160342.tif 000007
表５に示すように、１ビュー目において、１番目のスライスは１番目にＲＦパルスが送信され、２番目のスライスは８番目にＲＦパルスが送信され、３番目のスライスは２番目にＲＦパルスが送信され、・・・１３番目のスライスは７番目にＲＦパルスが送信される。
またこの時、各スライスに送信される励起パルスの位相は、１番目のスライスが０度、２番目のスライスが１８０度、３番目のスライスが１８０度、４番目のスライスが０度、・・・１３番目のスライスが０度である。
また、２ビュー目の各スライスに送信される励起パルスの位相は、ビュー毎に励起パルスの位相が交互に反転されるため、１ビュー目に送信された励起パルスの位相と反転した位相となる。２ビュー目において、例えば、１番目のスライスに送信される励起パルスの位相は１８０度、２番目のスライスは０度となる。
【００８４】
上記のようにＲＦパルスが送信された各スライスから得られる磁気共鳴信号の信号強度について、図４（ｂ）における２番目のスライス、３番目のスライスおよび４番目のスライスを、ビュー数として、２ビューを例として検討する。
【００８５】
まず２番目のスライスについて検討する。
２番目のスライスの領域Ａにおけるサイドローブは、１ビュー目の１番目のスライスに送信されたＲＦパルス（励起パルス位相：０度）と、１ビュー目の２番目のスライスに送信されたＲＦパルスと（励起パルス位相：１８０度）、２ビュー目の１番目のスライスに送信されたＲＦパルスと（励起パルス位相：１８０度）、２ビュー目の２番目のスライスに送信されたＲＦパルス（励起パルス位相：０度）の影響を受ける。
また、２番目のスライスにおける領域Ｂのサイドローブは、１ビュー目の３番目のスライスに送信されたＲＦパルス（励起パルス位相：１８０度）と、１ビュー目の２番目のスライスに送信されたＲＦパルスと（励起パルス位相：１８０度）、２ビュー目の３番目のスライスに送信されたＲＦパルスと（励起パルス位相：０度）、２ビュー目の２番目のスライスに送信されたＲＦパルス（励起パルス位相：０度）の影響を受ける。
【００８６】
次に３番目のスライスについて検討する。
３番目のスライスにおける領域Ｂのサイドローブは、１ビュー目の３番目のスライスに送信されたＲＦパルス（励起パルス位相：１８０度）と、１ビュー目の２番目のスライスに送信されたＲＦパルスと（励起パルス位相：１８０度）、２ビュー目の３番目のスライスに送信されたＲＦパルスと（励起パルス位相：０度）の影響を受ける。
また、３番目のスライスにおける領域Ｃのサイドローブは、１ビュー目の３番目のスライスに送信されたＲＦパルス（励起パルス位相：１８０度）と、１ビュー目の４番目のスライスに送信されたＲＦパルスと（励起パルス位相：０度）、２ビュー目の３番目のスライスに送信されたＲＦパルスと（励起パルス位相：０度）の影響を受ける。
【００８７】
次に、４番目のスライスについて検討する。
４番目のスライスの領域Ｃにおけるサイドローブは、１ビュー目の３番目のスライスに送信されたＲＦパルス（励起パルス位相：１８０度）と、１ビュー目の４番目のスライスに送信されたＲＦパルスと（励起パルス位相：０度）、２ビュー目の３番目のスライスに送信されたＲＦパルスと（励起パルス位相：０度）、２ビュー目の２番目のスライスに送信されたＲＦパルス（励起パルス位相：１８０度）の影響を受ける。
また、４番目のスライスにおける領域Ｄのサイドローブは、１ビュー目の５番目のスライスに送信されたＲＦパルス（励起パルス位相：０度）と、１ビュー目の４番目のスライスに送信されたＲＦパルスと（励起パルス位相：０度）、２ビュー目の５番目のスライスに送信されたＲＦパルスと（励起パルス位相：１８０度）、２ビュー目の４番目のスライスに送信されたＲＦパルス（励起パルス位相：１８０度）の影響を受ける。
【００８８】
上記の結果を表６に示す。表６（ａ）は、２番目のスライスの結果を示し、表６（ｂ）は、３番目のスライスの結果を示し、表６（ｃ）は、４番目のスライスの結果を示す。
【００８９】
【表６】
2009160342.tif 000008
【００９０】
表６に示すように、２番目のスライスに送信されたＲＦパルスのサイドローブにおける符号は、領域Ａと領域Ｂにおける符号の和となり、０となる。また、３番目のスライスに送信されたＲＦパルスのサイドローブにおける符号は、領域Ｂと領域Ｃにおける符号の和となり、０となる。また、４番目のスライスに送信されたＲＦパルスのサイドローブにおける符号は、領域Ｃと領域Ｄにおける符号の和となり、０となる。これは、２番目のスライス、３番目のスライスおよび４番目のスライスに送信されたＲＦパルスのサイドローブにおいて、励起パルスの位相が０度であるＲＦパルスと励起パルスの位相が１８０度であるＲＦパルスとの影響がキャンセルされたことを示す。
【００９１】
以上のように、本実施形態におけるＲＦパルスの送信方法によると、２番目のスライス、３番目のスライスおよび４番目のスライスに送信されたＲＦパルスのサイドローブにおける符号の和が０、０、０となり、各スライス間で信号強度の均一化が図れる。
【００９２】
図５は、球体ファントム（ｐｈａｎｔｏｍ）における各スライスの信号強度のシミュレーション結果を示す図である。縦軸は、信号強度を示し、横軸はスライス番号を示す。また、■で示したプロットは、従来のＲＦパルスの送信方法を用いた場合の各スライスの信号強度を示す。▲で示したプロットは、本発明におけるＲＦパルスの送信方法を用いた場合の各スライスの信号強度を示す。
【００９３】
図５に示すように、従来のＲＦパルスの送信方法を用いた場合の各スライスの信号強度は、各信号間で不連続である。しかし、本発明のＲＦパルスの送信方法を用いた場合の各スライスの信号強度は、球形ファントム形状を示すように、連続的である。
【００９４】
以上のように、本実施形態におけるＲＦパルスの送信方法によると、各スライス間で信号強度の均一化が図れる。
【００９５】
上記の従来のＲＦパルスの送信方法および本発明のＲＦパルスの送信方法により取得した磁気共鳴信号に基づいた再構成画像について説明する。
【００９６】
図６は、各スライスの人の頭部の軸位横断面画像である。図６（ａ）は、従来のＲＦパルスの送信方法により得られたスライス画像であり、図６（ｂ）は、本発明のＲＦパルスの送信方法により得られてスライス画像である。
【００９７】
図６（ａ）において、左から、従来の方法により撮影した２番目のスライス、３番目のスライス、４番目のスライス、５番目のスライスの画像である。図６（ａ）のスライス画像は、左から交互に明るい画像、暗い画像、明るい画像、暗い画像となっている。
図６（ｂ）において、左から、本実施形態の方法により撮影した２番目のスライス、３番目のスライス、４番目のスライス、５番目のスライスの画像である。図６（ｂ）のスライス画像間では撮像部位により画像の明暗はあるが、例えば、３番目のスライス画像は、図６（ａ）の３番目のスライス画像に比べ明るい画像となっており、５番目のスライス画像は、図６（ａ）の５番目のスライス画像に比べ明るい画像となっている。したがって、本発明のＲＦパルスの送信方法により撮影した各スライス間の画像の明度の差は、従来の方法により撮影したスライス画像に比べ、小さくなっていることが分かる。
【００９８】
以上のように、本発明の本実施形態により、信号強度が均一化された複数のスライス画像を得ることができる。
【００９９】
なお、本発明の実施に際しては、上記した実施形態に限定されるものではなく、種々の変形形態を採用することができる。
【０１００】
本発明の本実施形態において、複数のスライスとして１３枚のスライスを例として説明したが、スライスが４枚以上で、スライスに送信されたＲＦパルスのサイドローブにおける符号が０となり、スライス画像間の信号強度が均一となる。
【０１０１】
本発明の実施形態において、各スライスに送信する励起パルスの位相は０度および１８０度であるが、これには限定されず、位相が反転していればよい。例えば、１０度および１９０度でもよい。
また、本発明の実施形態において、各スライスに送信するリフォーカスパルスの位相は全て９０度であるが、リフォーカスパルスの位相は任意の値をとることができる。
また、本発明の実施形態において、ＲＦパルスを送信させるパルスシーケンスとして、スピンエコー法を用いているが、これには限定されず、例えば、グラディエントエコー法等でもよい。
【図面の簡単な説明】
【０１０２】
【図１】図１は、本発明に係る一実施形態における磁気共鳴イメージング装置の構成を示す構成図である。
【図２】図２は、本発明にかかる一実施形態において、マルチスライス撮影により被検体を撮影する際の動作を示すフロー図である。
【図３】図３は、図３は、本実施形態のマルチスライス撮影におけるパルスシーケンスを示す図である。
【図４】図４は、ＲＦパルスのプロファイルを示す模式図である。
【図５】図５は、球体ファントムにおける各スライスの信号強度のシミュレーション結果を示す図である。
【図６】図６は、人の頭部の軸位横断面画像を示す図である。
【符号の説明】
【０１０３】
１：磁気共鳴イメージング装置    ２:スキャン部    ３：操作コンソール部    １１：静磁場空間    １２：静磁場マグネット部    １３：勾配コイル部    １４：ＲＦコイル部    １５：クレードル    ２２：ＲＦ駆動部    ２３：勾配駆動部    ２４：データ収集部    ３０：制御部    ３１：記憶部    ３２：操作部    ３３：データ処理部    ３４：表示部    ４０：被検体    ５０：サイドローブ
【図１】
2009160342.tif 000009
【図２】
2009160342.tif 000010
【図３】
2009160342.tif 000011
【図４】
2009160342.tif 000012
【図５】
2009160342.tif 000013
【図６】
2009160342.tif 000014